【手続補正書】
【提出日】平成17年9月20日(2005.9.20)
【手続補正１】
【補正対象書類名】明細書
【補正対象項目名】特許請求の範囲
【補正方法】変更
【補正の内容】
【特許請求の範囲】
【請求項１】  剥離テープとテープ本体とを積層して成るカッティングテープの当該テープ本体に対し、任意の切抜き形状にハーフカットを行うカッティング装置において、
カッティングバイトと、
前記カッティングバイトを前記カッティングテープの送り方向に直交する方向に往復動させるバイト移動機構と、
前記バイト移動機構に同期して、前記カッティングテープを往復動経路に沿って正逆送りする正逆送り機構と、
前記往復動経路に臨み、前記カッティングテープをその幅方向に位置規制するテープ幅規制機構と、を備えたことを特徴とするカッティング装置。
【請求項２】  前記テープ幅規制機構は、前記カッティングテープの幅方向に設けた一対の幅規制ガイドを有することを特徴とする請求項１に記載のカッティング装置。
【請求項３】  前記カッティングテープは、巻き癖を有しており、
前記一対の幅規制ガイドは、前記カッティングテープを幅方向に位置規制する位置規制面と、前記カッティングテープの送りを巻き癖に倣って案内する案内片と、をそれぞれ有することを特徴とする請求項２に記載のカッティング装置。
【請求項４】  前記一対の幅規制ガイドは、前記往復動経路を挟んで前記各案内片に対峙し、前記カッティングテープの幅方向の端縁部に転接する一対の押えローラを有していることを特徴とする請求項３に記載のカッティング装置。
【請求項５】  前記カッティングテープには、テープ幅の異なる複数種のものが用意されており、
前記テープ幅規制機構は、前記一対の幅規制ガイドをテープ幅に合うように同時に移動させるガイド移動機構を、更に有することを特徴とする請求項２ないし４のいずれかに記載のカッティング装置。
【請求項６】  テープ幅を検出するテープ幅検出機構を更に備え、
前記ガイド移動機構は、前記テープ幅検出機構の検出結果に基づいて、前記一対の幅規制ガイドを移動させることを特徴とする請求項５に記載のカッティング装置。
【請求項７】  前記ガイド移動機構は、
延在方向のセンター部を境として、一方の側に右ねじを螺刻し且つ他方の側に左ねじを螺刻したリードねじと、
前記リードねじを正逆回転させる幅規制モータとを備え、
前記一対の幅規制ガイドの一方は、前記右ねじに螺合する雌ねじ部を有し、他方は、前記左ねじに螺合する雌ねじ部を有していることを特徴とする請求項５または６に記載のカッティング装置。
【請求項８】  前記ガイド移動機構は、
延在方向のセンター部を境として、前記カッティングテープのテープ幅に対応して、一方の側に右ねじ状の円筒カム溝を有し、且つ他方の側に左ねじ状の円筒カム溝を有するリード軸と、
前記リード軸を正逆回転させる幅規制モータとを備え、
前記各幅規制ガイドは、前記各円筒カム溝に係合するカム突起を有していることを特徴とする請求項５または６に記載のカッティング装置。
【請求項９】  前記各円筒カム溝は、前記各幅規制ガイドのセット状態となる複数の位置規制溝部と、前記複数の位置規制溝部間を結ぶと共に前記各テープ幅に対応して所定ピッチの複数の送り溝部とで構成されていることを特徴とする請求項８に記載のカッティング装置。
【請求項１０】  前記テープ幅検出機構は、前記リード軸の１回転を検出する検出機構を備え、
前記幅規制モータは、前記検出機構の検出結果に基づいて、テープ幅に対応する回転数分、回転することを特徴とする請求項８または９に記載のカッティング装置。
【請求項１１】  前記テープ幅規制機構は、前記カッティングテープの幅方向に設けられた一対のガイド部からなる幅規制ガイドと、
一対のガイド部をテープ幅方向に同時に移動させるガイド移動機構とを有し、
前記幅規制ガイドは、前記正逆送り機構を跨いで正逆送り方向に２組配設され、且つ当該２組の幅規制ガイドは、前記ガイド移動機構により個別に移動可能に構成され、
前記ガイド移動機構は、前記正逆送り機構に同期して、前記カッティングテープの送り方向の先行側に位置する幅規制ガイドの一対のガイド部をテープ幅より僅かに広くなる位置に同時に移動させ、且つ他方の幅規制ガイドの一対のガイド部をテープ幅に合う位置に同時に移動させることを特徴とする請求項１に記載のカッティング装置。
【請求項１２】  前記正逆送り機構は、前記カッティングバイトによるカッティング動作に先立つと共に、前記テープ幅規制機構による位置規制状態で前記カッティングテープを複数回正逆空送りさせることを特徴とする請求項１ないし１１のいずれかに記載のカッティング装置。
【請求項１３】  前記カッティングテープを挟んで前記カッティングバイトに対峙する受けプレートを更に備え、
前記受けプレートには、前記カッティングバイトの移動軌跡に沿ってバイト受け溝が形成されていることを特徴とする請求項１ないし１２のいずれかに記載のカッティング装置。
【請求項１４】  請求項１ないし１３のいずれかに記載のカッティング装置と、
前記カッティング装置の上流側に配設され、前記カッティングテープを所定の寸法に切り離すフルカット装置と、
前記フルカット装置の上流側に配設され、前記カッティングテープに印刷する印刷装置と、を備えたことを特徴とするテープ処理装置。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
この場合、カッティングテープは、巻き癖を有しており、一対の幅規制ガイドは、カッティングテープを幅方向に位置規制する位置規制面と、カッティングテープの送りを巻き癖に倣って案内する案内片と、をそれぞれ有することが、好ましい。
【手続補正７】
【補正対象書類名】明細書
【補正対象項目名】００１５
【補正方法】変更
【補正の内容】
【００１５】
この構成によれば、巻き癖を有するカッティングテープは、一対の幅規制ガイドの位置規制面により幅方向に位置規制されると共に、案内片の湾曲部位に沿って送りを案内される。これにより、カッティングテープが巻き癖方向に必要以上にカールして、装置内でジャミングすることや、正逆送り時に切抜き部分が剥離テープから分離（剥離）することを好適に防止することができる。
【手続補正８】
【補正対象書類名】明細書
【補正対象項目名】００１６
【補正方法】変更
【補正の内容】
【００１６】
この場合、一対の幅規制ガイドは、往復動経路を挟んで各案内片に対峙し、カッティングテープの幅方向の端縁部に転接する一対の押えローラを有していることが、好ましい。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】削除
【補正の内容】
【手続補正１５】
【補正対象書類名】明細書
【補正対象項目名】００３４
【補正方法】削除
【補正の内容】
【手続補正１６】
【補正対象書類名】明細書
【補正対象項目名】００３５
【補正方法】削除
【補正の内容】
【手続補正１７】
【補正対象書類名】明細書
【補正対象項目名】００３６
【補正方法】削除
【補正の内容】
【手続補正１８】
【補正対象書類名】明細書
【補正対象項目名】００３７
【補正方法】削除
【補正の内容】